(57)【要約】【課題】従来の空気調和機の室外機ではベースの構造が複数であり、また寒冷地以外でドレンを集中排水してホース等で処理する場合に対応できなかった。【解決手段】ベース１上で、熱交換器２の下にヒーター３を配設し、ドレン穴４の周囲にあるヒーター３部分が露出しないように覆う形状の隔絶板５で、ヒーター３をベース１に押し付けて固定する。隔絶板５の中央部には穴が設けられてドレン穴４の下方より取り付けられるドレンソケット７と干渉しない形状となっている。【選択図】　　　　図１
2004069220.tif 000002
【特許請求の範囲】
【請求項１】
室外機ベース上に熱交換器を設置する室外機において、
管状のヒーターを熱交換器の底部の外周形状に倣った形状で、ほぼ閉じた形状に、また、前記外周形状とほぼ同じ大きさの形状に形成し、
前記ヒーターを、室外機ベースの平底上で、前記熱交換器を囲むように設置するか、または、前記ヒーター形状の半分以上が前記熱交換器の下になるように設置し、さらに、室外機ベースの前記平底に開口するドレン穴が前記ヒーターのほぼ閉じた形状の内にあるように設置することを特徴とする空気調和機の室外機。
【請求項２】
前記ドレン穴を平底の一部に開口するドレン穴とし、前記ドレン穴の近傍の前記ヒーターの管部を隔絶板に形成した長形の凹部で囲いながら前記室外機ベースの前記平底に押さえることにより、前記ヒーターを固定することを特徴とする請求項１記載の空気調和機の室外機。
【請求項３】
前記ヒーターの管部を長形の凹部で押さえるとき、前記隔絶板の前記凹部の内面に形成した凸部により押えることを特徴とする請求項２記載の空気調和機の室外機。
【請求項４】
前記ドレン穴には、前記熱交換器側と反対側からドレンソケットが取付けられる構造であり、前記隔絶板が中央部にソケット穴を有し、前記ソケット穴内に前記ドレン穴が開口するように前記隔絶板を前記室外機ベースの前記平底に取付けることを特徴とする請求項２記載の空気調和機の室外機。
【発明の詳細な説明】
【０００１】
【発明の属する技術分野】
この発明は、空気調和機の室外機における熱交換器を設置する室外機ベースのドレンのヒーターによる凍結防止に関するものである。
【０００２】
【従来の技術】
図４及び図５は、実開昭６３−６９９２６号公報に示された従来の空気調和機の室外機のベース部分を示し、それぞれ、断面図（図５のＡ−Ａ断面図）及び斜視図である。
これらの図において、室外機の構造は、室外機ベース１０ａの突出部にヒーター３０を配設し、室外機ベース１０ａ側にフランジを有し、伝熱材の働きをする室外機ベース１０ｂ上に熱交換器２を載置し、室外機ベース１０ａと室外機ベース１０ｂによりヒーター３０を挟み込むようにして熱交換器２の下部にヒーター３０を収納すると共に、熱交換器２の下面の室外機ベース１０ａと室外機ベース１０ｂに長穴形状のドレン穴４０を設けて、ドレンを外部に排出する構造となっていた。
【０００３】
上記のように構成された室外機において、冬季に熱交換器２からのドレンが再凍結するのをヒーター３０による熱で防止して、ドレン穴４０からドレンが外部に排出される。
【０００４】
【発明が解決しようとする課題】
上記のように、従来の室外機ではヒーター３０を設置する室外機ベース１０ａ、１０ｂの構造が複数であり、またドレン穴４０が長穴状であるため、寒冷地以外でドレンを集中排水してホース等で処理する場合に対応できなかった。
【０００５】
この発明は、上記のような問題を解消するためになされたもので、室外機ベースの構造を単純化し、冬季においても、熱交換器からのドレンが室外機ベース上で再凍結するのをヒーターにより防止し、不具合が生じるのを防止することを目的とする。
【０００６】
【課題を解決するための手段】
本発明に係る空気調和機の室外機は、室外機ベース上に熱交換器を設置する室外機において、管状のヒーターを熱交換器の底部の外周形状に倣った形状で、ほぼ閉じた形状に、また、外周形状とほぼ同じ大きさの形状に形成し、ヒーターを、室外機ベースの平底上で、熱交換器を囲むように、または、形状の半分以上が熱交換器の下になるように設置し、さらに、室外機ベースの平底に開口するドレン穴がヒーターのほぼ閉じた形状の内にあるように設置したものである。
そこで、ヒーターを熱交換器の底部の外周形状に倣った形状で、外周形状とほぼ同じ大きさ形状に形成したことから、ヒーターを、室外機ベースの平底上で、熱交換器を囲むように設置した場合、ヒーターが熱交換器の設置スペースから大きく離れることがなく、また、半分以上が熱交換器の下方になるように設置した場合、熱交換器は、ヒーターにより囲われるスペースから大きく離れることがない。
【０００７】
また、請求項２の空気調和機の室外機は、請求項１の室外機において、ドレン穴を平底の一部に開口するドレン穴とし、ドレン穴の近傍のヒーターの管部を隔絶板に形成した長形の凹部で囲いながら室外機ベースの平底に押さえることにより、ヒーターを固定するものである。
【０００８】
また、請求項３の空気調和機の室外機は、請求項２の室外機において、ヒーターの管部を長形の凹部で押さえるとき、隔絶板の凹部の内面に形成した凸部により押えるものである。
【０００９】
また、請求項４の空気調和機の室外機は、請求項２の室外機において、ドレン穴には、熱交換器側と反対側からドレンソケットが取付けられ、隔絶板が中央部にソケット穴を有し、ソケット穴内にドレン穴が開口するように隔絶板を室外機ベースの平底に取付けるものである。
【００１０】
【発明の実施の形態】
実施の形態１．
以下この発明の実施の形態１を図により説明する。
図１は実施の形態１の室外機の分解斜視図、図２は同じく隔絶板の斜視図、図３は同じくヒーター取付部分を示す断面図である。
これらの図において、１は空気調和機の室外機の室外機ベース、１ａは室外機ベース１の平底、１ｂは室外機ベース１のネジ穴、２は熱交換器、２ａは熱交換器２の底部、３はシーズヒーターのような管状のヒーター、３ａはヒーター３の管部、４は室外機ベースに設けられたドレン穴、５は隔絶板、５ａは隔絶板５の凹部、５ｂは隔絶板５のネジ穴、６は隔絶板５を室外機ベースに固定する固定ネジ、７はドレンソケット、８は隔絶板５の凹部５ａ内の凸部、９は隔絶板５の中央部に形成されるソケット穴である。
【００１１】
室外機ベース１は、底が平らな平底１ａを有する浅い容器であり、平底１ａには平底の１ａの一部に開口する断面が円形のドレン穴４が形成されている。但し、断面が円形に限らず、自由な形状でいいが、平底１ａの一部に開口するように、ドレンソケット７の取付が可能であり、ここから集中排水できるようにする。
即ち、ドレン穴４を平底の１ａの一部に開口するドレン穴４とすることにより、室外機をベランダ等に吊り架台を利用して高い位置に据え付ける場合、ドレン穴４にドレンソケット７を取付けてホースを接続し、ドレンを導き水が垂れるのを防止することが可能となる。
熱交換器２は、図１の例では、薄型のＬ字状のものである。必ずしも薄形とは限らないが、薄形の場合、特に、ドレンの滴下範囲は限定され、また、ヒータ３の管部３ａで熱交換器２を囲む場合、囲まれた平底１ａ内は温度が上がり易く、保温され易く、ドレンの凍結防止には有利である。
【００１２】
ヒーター３は、シーズヒーターのような管状のヒーターであり、熱交換器２の底部２ａの外周形状に倣った形状で、ほぼ閉じた形状に、即ち、図１の例では、底部２ａのＬ字形状類似の形状に管部３ａを曲げ、平面上でほぼ閉じたＬ字状の囲いを形成する形状に加工される。また、熱交換器２の底部２ａの外周形状とほぼ同じ大きさに加工される。
ここで、「ほぼ閉じた形状」とは、管状のヒーター３が熱交換器２の底部２ａの外周形状に倣った形状を形成するとき、開いた部分があっても、この部分にヒーター３がないことにより囲い内にドレンが凍結しない程度であれば「ほぼ閉じた形状」に含まれる。また、「ほぼ同じ大きさ」とは、熱交換器２の底部２ａの外周形状に対して、全体的に一回り大きい、一回り小さい場合を含み、さらに、部分的な形状の相違があっても含まれる。
そして、ヒーター３は室外機ベースの平底上で、熱交換器２を囲むように設置するか、または、ヒーター３形状のほとんどが熱交換器２の下になるように設置するか、または、ヒーター３形状の少なくとも半分以上が熱交換器２の下になるように設置する。
そこで、ヒーター３を熱交換器２の底部１ａの外周形状に倣った形状で、外周形状とほぼ同大の形状に形成したことから、ヒーター３を、室外機ベース１の平底１ａ上で、熱交換器２を囲むように設置した場合、ヒーター３が熱交換器２の設置スペースから大きく離れることがなく、また、半分以上が熱交換器２の下方になるように設置した場合、熱交換器２は、ヒーター３により囲われるスペースから大きく離れることがない。
従って、熱交換器２から滴下するドレンは、ほとんど管状のヒーター３の囲い形状内となり、また、ヒータ３に通電することで、室外機ベース１の平底１ａの管状のヒーター３の囲い形状内は、温度あがることにより、ドレンの凍結が防止できる。
【００１３】
隔絶板５は、図２に示すように、全体に矩形形状であり、両端の長手方向に長形の凹部５ａ、５ａが形成され、長手方向の両端部中央にネジ６を挿入する２個のネジ穴５ｂ、５ｂが形成され、さらに、凹部５ａ、５ａ及びネジ６用の２個のネジ穴５ｂ、５ｂで囲まれた部分に、即ち、中央部にソケット９が形成される。
また、隔絶板５の中央部に形成されたソケット穴９は、ソケット穴９内にドレン穴４が開口するように隔絶板５を平底１ａに取付けているので、ドレン穴４の下方（底板１ａの熱交換器２側と反対側）より取付られるドレンソケット７と干渉しない形状となっている。
【００１４】
次に、これらの組立について記載する。
室外機ベース１の平底１ａ上にヒーター３を設置する。この際、ドレン穴４及びネジ６用の２個のネジ穴１ｂ、１ｂがヒーター３の管部３ａで形成されるＬ字状のほぼ閉じた形状の囲いの内に入るようにする。この場合、ドレン穴４をヒーター３の囲いの内とすることにより、ドレン穴４がドレンの凍結で塞がることを防止できる。
それから、隔絶板５の長形の凹部５ａ、５ａをヒーター３の平行な管部３ａ、即ち、ドレン穴４の近傍のヒーター３の管部３ａに合せ、またネジ６用のネジ穴５ｂ、５ｂをネジ穴１ｂ、１ｂに合せ、隔絶板５を平底１ａ上で、ヒータ３上に載置し、２本のネジ６、６をねじ込み、ヒーター３を室外機ベース１に固定する。この際、平行な管部３ａを長形の凹部５ａ、５ａで囲いながら平底１ａに押えることによりヒーター３を固定する。
【００１５】
次に、熱交換器２を平底１ａ上に設置する。熱交換器２はヒーター３の管部３ａの囲い内に設置しても、即ち、熱交換器を囲むようにヒーター３を設置してもよい。また、熱交換器２を、ヒーター３の管部３ａ上に設置しても、即ち、ヒーター３の管部３ａを熱交換器２の下になるように設置してもよい。
但し、ヒーター３を熱交換器２の管部２ａの下になるように設置する場合は、熱交換器２が大幅にヒーター３の管部２ａからはみ出ないようにする。即ち、Ｌ字形状のヒーター３の管部２ａの半分以上が熱交換器２の下になるようにする。
最後に、熱交換器２側と反対側からドレンソケット７を平底１ａのドレン穴４に取付ける。
なお、室外ベース１上の空き部分には熱交換器２に送風する送風機が設置される。
【００１６】
図２、図３により、隔絶板５によるヒータ３の固定についてさらに説明する。
隔絶板５の凹部５ａ内の凸部８は、長形の凹部５ａの両端近くに１個ずつが、それぞれ、凹部５ａの内面の頂点から管部３ａに向かって突出している。そして、管部３ａを凹部５ａが囲い、ネジ止めすることにより、この凸部８が管部３ａと接触し平底１ａに押える。即ち、隔絶板５の凹部５ａの他の部分とヒーター３間には隙間が形成される。但し、凸部８は両端近くに、それぞれ、複数個（例えば、２〜３個）づつ設けてもよい。この場合、より安定して固定できる。
また、隔絶板５の凹部５ａ、５ａで平行な管部３ａを囲うことにより、ドレン穴４の周囲にあるヒーター３の管部３ａが露出しないようにする。
そこで、隔絶板５は、ヒーター３を室外機ベース１に固定する働きと、据え付け後にドレン穴４から指を入れた際にヒーター３に直接指が触れて火傷を負うことを防ぎ、製品の安全性を確保する働きを兼ねている。
【００１７】
次いで、隔絶板５の凹部５ａ内の凸部８の機能を説明する。
冬季にドレンの凍結を防止して排水するためにヒーター３に通電する際には、ヒーター３の温度は火傷をする程上昇しないが、制御回路の暴走等で夏期にヒーターに通電された場合を考慮して、ヒーター３及び周囲の指を触れる可能性のある部分が高温にならないように保護する必要がある。
室外機ベース１自体は、ヒーター３に接触している部分から周囲への伝熱量が大きいため、平底１ａの下面から室外機ベース１のヒーター配設部分に触れた場合には火傷に至ることはないが、部品面積の小さい隔絶板５においては、ヒーター３の温度上昇に伴い隔絶板５自体の温度も高くなるため、ドレン穴４から指を入れて隔絶板５に触れたことで火傷をする可能性がある。
そこで、隔絶板５にヒーター３との直接接触部分を少なくするための凸部８を設けて、ヒーター３との間に隙間を設け、熱伝導を少なくすることによって隔絶板５の温度を低く保つことができる。
【００１８】
室外機ベース１の平板１ａに設けるドレン穴４は、ヒーター３の管部３ａで形成されるＬ字状の囲いの内に入るようにし（ほぼ閉じた形状の内に入るようにし）、１箇所でなく、数箇所（例えば２〜３箇所）としてもよい。この室外機を高所に設置する場合は、それぞれにドレンソケット７を取付け、ドレンソケット７にホースを取付け、途中で集合させドレンを導くようにする。
また、ドレン穴４は、長穴形状のものでもよい。但し、この場合は、ドレン穴４は、ヒーター３の管部３ａで形成されるＬ字状の囲いの内に入るようにし（ほぼ閉じた形状の内に入るようにし）、ドレンソケット７は取付けない。この場合のヒーター３の室外機ベース１の平底１ａへの取付は通常の任意の方法で行う。
長穴とすれば、ヒーター３の囲い内であることより、同じく、ドレンの凍結はなく、滴下ドレンは近くのドレン穴４の開口部から早急に外部に排出される。
【００１９】
本実施の形態の空気調和機の室外機によれば、ドレン穴４を平底１ａの一部に開口するドレン穴４とし、このドレン穴４の近傍のヒーター３の管部３ａを隔絶板５に形成した長形の凹部５ａで囲いながら室外機ベースの平底１ａに押えることにより、ヒーター３を固定するので、隔絶板５により、ヒーター３を室外機ベース１に固定できる共に、ドレン穴４から直接ヒーター３に指が接触することを防止できる。
【００２０】
また、本実施の形態の空気調和機の室外機によれば、ヒーター３の管部３ａを長形の凹部５ａで押えるとき、隔絶板５の凹部５ａの内面に形成した凸部８により押えるので、ヒータ３を固定できるのに加えて、ヒーターに通電しても、隔絶板５の温度が高くなるのを防止でき、接触した場合の火傷を防止する。
【００２１】
また、本実施の形態の空気調和機の室外機によれば、ドレン穴４には、熱交換器２側と反対側からドレンソケット７が取付けられ、隔絶板５が中央部にソケット穴９を有し、ソケット穴９内にドレン穴４が開口するように隔絶板５を室外機ベース１の平底１ａに取付けるので、ドレンソケット７を室外機ベース１のドレン穴４に取り付ける場合に、隔絶板５に設けられたソケット穴９により、ドレンソケット７と隔絶板５が干渉することなく取り付けが可能である。
【００２２】
【発明の効果】
本発明に係る空気調和機の室外機は、室外機ベース上に熱交換器を設置する室外機であって、管状のヒーターを熱交換器の底部の外周形状に倣った形状で、ほぼ閉じた形状に、また、外周形状とほぼ同じ大きさの形状に形成し、ヒーターを、室外機ベースの平底上で、熱交換器を囲むように設置するか、または、形状の半分以上が熱交換器の下になるように設置し、さらに、室外機ベースの平底に開口するドレン穴がヒーターのほぼ閉じた形状の内にあるように設置したものである。
【００２３】
そこで、ヒーターを熱交換器の底部の外周形状に倣った形状で、外周形状とほぼ同じ大きさの形状に形成したことから、ヒーターを、室外機ベースの平底上で、熱交換器を囲むように設置した場合、ヒーターが熱交換器の設置スペースから大きく離れることがなく、また、半分以上が熱交換器の下方になるように設置した場合、熱交換器は、ヒーターにより囲われるスペースから大きく離れることがなく、いずれの場合も、熱交換器から滴下するドレンは、ほとんど管状のヒーターの囲い形状内となる。そして、ヒータに通電することで、室外機ベースの平底の管状のヒーターの囲い内は、温度あがることにより、ドレンの凍結が防止できる。
また、ドレン穴が管状ヒーターの囲い内にあることより、ドレン穴も凍結しないので、ドレンはドレン穴から外部に排出できる。
しかも、室外機ベースは、平底にヒータと熱交換器を設置するので、室外機ベースの構造を単純化できる。
【図面の簡単な説明】
【図１】本発明の実施の形態１による空気調和機の室外機の分解斜視図である。
【図２】本発明の実施の形態１による隔絶板の斜視図である。
【図３】本発明の実施の形態１によるヒーター取付部分を示す断面図である。
【図４】従来の空気調和機の室外機ベース部分を示す断面図である。
【図５】従来の空気調和機の室外機ベース部分を示す斜視図である。
【符号の説明】
１　室外機ベース、１ａ　平底、２　熱交換器、２ａ　底部、３　ヒーター、３ａ　管部、４　ドレン穴、５　隔絶板、５ａ　凹部、７　ドレンソケット、８凸部、９　ソケット穴。
【図１】
2004069220.tif 000003
【図２】
2004069220.tif 000004
【図３】
2004069220.tif 000005
【図４】
2004069220.tif 000006
【図５】
2004069220.tif 000007